(57)【要約】【課題】簡便に室内環境を改善すること。【解決手段】太陽電池モジュールを備え、外装部の一部をなす太陽光発電部材と、前記太陽光発電部材とともに前記外装部の一部をなすガラス部材と、前記太陽光モジュールからの電力が供給され、当該電力により空気を流動させる流動装置部と、前記空気の吸排気を行う通気口と、を備えることを特徴とする太陽光発電ユニット。また、前記通気口は開閉弁を備え、前記第太陽光モジュールからの電力は、前記開閉弁に供給されることを特徴とする。【選択図】図２
2014022410.tif 000002
【特許請求の範囲】
【請求項１】
太陽電池モジュールを備え、外装部の一部をなす太陽光発電部材と、
前記太陽光発電部材とともに前記外装部の一部をなすガラス部材と、
前記太陽光モジュールからの電力が供給され、当該電力により前記ガラス部材の表面における空気を流動させる流動装置部と、
前記空気の吸排気を行う通気口と、
を備えることを特徴とする太陽光発電ユニット。
【請求項２】
請求項１に記載の太陽光発電ユニットであって、
前記通気口は開閉弁を備え、
前記太陽電池モジュールからの電力は、前記開閉弁に供給されることを特徴とする太陽光発電ユニット。
【請求項３】
請求項１又は請求項２に記載の太陽光発電ユニットであって、
前記流動装置部は、前記ガラス部材の下方側に設けられることを特徴とする太陽光発電ユニット。
【請求項４】
請求項１乃至請求項３のいずれかに記載の太陽光発電ユニットであって、
前記太陽光発電部材は、
第１太陽電池モジュールを備え、太陽光反射性を有する第１太陽光発電部材と、
第２太陽電池モジュールを備えた第２太陽光発電部材と、
を備え、
前記第１太陽光発電部材の受光面に入射して反射する反射光は、前記第２太陽光発電部材の受光面に入射することを特徴とする太陽光発電ユニット。
【請求項５】
請求項１乃至請求項４のいずれかに記載の太陽光発電ユニットであって、
前記太陽電池モジュールは、前記太陽光発電ユニット外の電力供給設備と電気的な接続がされないことを特徴とする太陽光発電ユニット。
【発明の詳細な説明】
【技術分野】
【０００１】
本発明は、太陽光発電ユニットに関する。
【背景技術】
【０００２】
省エネルギーの観点から、住宅やビル等の建物において、太陽光発電（ｐｈｏｔｏｖｏｌｔａｉｃ，以下ＰＶということがある）が導入されつつある。加えて近年は、二酸化炭素排出削減、ＣＳＲ、さらには、創エネルギー・蓄エネルギーに対する意識が高まっており、住宅、学校施設、公共施設、商業施設、工場施設、及び、事務所ビルなどあらゆる建物において、ＰＶに対するニーズは増加するものと期待される。  
特許文献１には、反射パネルに照射された日光が反射パネルと反射板とを介して太陽電池モジュールに照射されることが示されている。
【先行技術文献】
【特許文献】
【０００３】
【特許文献１】特開２０１１−８０２８９号公報
【発明の概要】
【発明が解決しようとする課題】
【０００４】
このように、太陽光が入射する場所では、太陽電池モジュールを用いることで電力を得ることができる。しがしながら、太陽光が入射する室内は、夏期において室内上部に熱がたまり、一方、冬期においてその温度差から結露を生じさせる。このようなことから、室内環境を容易に改善することが望まれる。
【０００５】
本発明は、このような事情に鑑みてなされたものであり、簡便に室内環境を改善することを目的とする。
【課題を解決するための手段】
【０００６】
このような目的を達成するために本発明に係る太陽光発電ユニットは、太陽電池モジュールを備え、外装部の一部をなす太陽光発電部材と、前記太陽光発電部材とともに前記外装部の一部をなすガラス部材と、前記太陽光モジュールからの電力が供給され、当該電力により前記ガラス部材の表面における空気を流動させる流動装置部と、前記空気の吸排気を行う通気口と、を備えることを特徴とする。  
このように、外装部の一部をなすガラス部材を有する太陽光発電ユニットが、空気を流動させる流動装置部と、空気の吸排気を行う通気口とを有しているので、夏期にはガラス部材周辺の高温の空気を通気口を通じて排気することができる一方、冬期にはガラス部材周辺の空気を循環させるので結露を防止することができ室内環境を改善することができる。さらに、太陽光発電ユニットにおいて、流動装置部を稼働させるために太陽電池モジュールを独立して有しているので、この太陽光発電ユニットを取り付けるだけで、簡便に室内環境を改善することができる。
【０００７】
また、本発明に係る太陽光発電ユニットにおいて、前記通気口は開閉弁を備え、
前記太陽電池モジュールからの電力は、前記開閉弁に供給されることを特徴とする。  
このようにすることで、通気口の開閉を太陽電池モジュールからの電力を用いて行うことができるので、この太陽光発電ユニットを取り付けるだけで、簡便に室内環境を改善することができる。
【０００８】
また、本発明に係る太陽光発電ユニットにおいて、前記流動装置部は、前記ガラス部材の下方側に設けられることを特徴とする。  
このように、流動装置部をガラス部材の下方側に設けることとしているので、夏期にはこれを稼働させて上方に空気を送り、通気口を介して排気を行うことができる。また、冬期には、流動装置部を稼働させて、ガラスの上下方向に空気を流動させることができ、ガラスの結露を防止することができる。勿論、前記流動装置部近傍にも通気口を備えることもできる。
【０００９】
また、本発明に係る太陽光発電ユニットにおいて、前記太陽光発電部材は、第１太陽電池モジュールを備え、太陽光反射性を有する第１太陽光発電部材と、第２太陽電池モジュールを備えた第２太陽光発電部材と、を備え、前記第１太陽光発電部材の受光面に入射して反射する反射光は、前記第２太陽光発電部材の受光面に入射することを特徴とする。  
このように、第１太陽光発電部材の太陽電池モジュールで発電を行うと共に、入射した光を第２太陽光発電部材に対して反射させる。また、第２太陽光発電部材の太陽電池モジュールで発電を行う際に、直射光のみならず、第１太陽光発電部材において反射した反射光によっても発電を行うことができる。このため、太陽光発電ユニットの発電効率を高めることができる。
【００１０】
また、本発明に係る太陽光発電ユニットにおいて、前記太陽電池モジュールは、前記太陽光発電ユニット外の電力供給設備と電気的な接続がされないことを特徴とする。  
このように、太陽電池モジュールが太陽電池発電ユニット外の電力供給設備と電気的な接続がされないため、太陽光発電ユニットは、電気的に自己完結・自立型の系を構築することができる。すなわち、流動装置部に独立して電力供給する太陽電池発電ユニットを提供することができる。
【発明の効果】
【００１１】
以上のように、外装部の一部をなすガラス部材を有する太陽光発電ユニットが、空気を流動させる流動装置部と、空気の吸排気を行う通気口とを有しているので、夏期にはガラス部材周辺の高温の空気を通気口を通じて排気することができる一方、冬期にはガラス部材周辺の空気を循環させるので結露を防止することができ室内環境を改善することができる。さらに、太陽光発電ユニットにおいて、流動装置部を稼働させるために太陽電池モジュールを独立して有しているので、この太陽光発電ユニットを取り付けるだけで、簡便に室内環境を改善することができる。
【図面の簡単な説明】
【００１２】
【図１】本実施形態における太陽光発電ユニット１０の正面図である。
【図２】第１実施形態における太陽光発電ユニット１０の横断面図である。
【発明を実施するための形態】
【００１３】
図１は、第１実施形態における太陽光発電ユニット１０の正面図である。図２は、第１実施形態における太陽光発電ユニット１０の横断面図である。これらの図には、建物１に複数の太陽光発電ユニット１０が取り付けられている様子が示されている。ここでは、床仕上げ４２、床スラブ４４、天井内４６、天井４８を有する建物１に複数の太陽光発電ユニット１０が取り付けられるものとする。本実施形態における太陽光発電ユニット１０は、ガラスカーテンウォール（ＧＣＷ）のように、ガラス面積の大きい外装において用いられることが望ましい。
【００１４】
太陽光発電ユニット１０は、上枠２０と横枠２１と下枠２２と無目（トランサム）２４を方立（マリオン）２６と、スパンドレルガラス１２と、バックボード２８と太陽光発電庇１４（以下、「ＰＶ庇」と言うことがある）とビジョンガラス１６とサイドフィン１８を備える。また、太陽光発電ユニット１０は、開閉弁３４と通気口３６とファン３８を備える。
【００１５】
上枠２０と横枠２１と下枠２２は、それぞれの端部同士が固定され太陽光発電ユニット１０の外枠を構成する。そして外枠の内側に、スパンドレルガラス１２と太陽光発電庇１４とビジョンガラス１６とサイドフィン１８が固定的に設けられる。なお、太陽光発電庇１４については、その傾きを調整することができることとしてもよい。
【００１６】
太陽光発電ユニット１０の上側部分には、スパンドレルガラス１２とバックボード２８が上下方向について上枠２０と無目２４に挟み込まれ、左右方向について横枠２１に挟み込まれるように固定される。スパンドレルガラス１２が組み付けられる位置は、太陽光発電ユニット１０を建物１に施工したときに、スパンドレルガラス１２が建物１の床仕上げ４２部分と床スラブ４４部分と天井内４６と水平方向に重なる位置となることが望ましい。このとき、水平方向について、上枠２０も床仕上げ４２部分に重なり、無目２４は天井内の一部と天井と重なる位置となる。
【００１７】
スパンドレルガラス１２には、太陽光発電モジュール１２ａが設けられる。また、スパンドレルガラス１２の背面側にはバックボード２８が設けられる。
【００１８】
無目２４の下方には、建物１の外側方向に張り出す太陽光発電庇１４が設けられる。太陽光発電庇１４は、太陽光発電モジュール１４ａを備えるとともに、太陽光反射性を有する強化ガラス１４ｃを有する。これにより、太陽光の光路Ｌが図２に示されるようになるので、太陽光により発電を行う一方で、太陽光の一部をスパンドレルガラス１２の太陽光発電モジュール１２ａに反射し、スパンドレルガラス１２の太陽光発電モジュール１２ａにおいても発電を効率的に行わせる。なお、太陽光発電庇１４の受光面の強化ガラス１４ｃには、汚れ防止のために親水性を有するガラス用コーティング剤が塗布されることが望ましい。また、酸化チタンを利用した光触媒によって防汚性能を有することとしてもよい。
【００１９】
太陽光発電庇１４の傾斜角は、年間日照量が最も多くなる角度に設定される。また、太陽光発電庇１４の出寸法は、部材の強度計算や、必要発電量に応じて設計される。また、太陽光発電庇１４における太陽光の受光面と、スパンドレルガラス１２における太陽光の受光面は、劣角（０＜θ＜２π）の範囲の角度を形成する。
【００２０】
太陽光発電庇１４には、バッテリー１４ｂを設けることができ、これにより、スパンドレルガラス１２における太陽光発電モジュール１２ａ及び太陽光発電庇１４における太陽光発電モジュール１４ａによって発電された電力を蓄電することができる。
【００２１】
なお、本実施形態において、スパンドレルガラス１２における太陽光発電モジュール１２ａ及び太陽光発電庇１４における太陽光発電モジュール１４ａの電気系統は、建物１内部の電気関係設備には接続されなくてもよい。すなわち、太陽光発電ユニット１０における太陽光発電モジュール１２ａ、１４ａから得られた電力は、その外部の電力系統とは連系されなくてもよい。具体的には、太陽光発電モジュール１２ａ、１４ａは、キュービクルや分電盤などには接続されないこととすることができる。そして、太陽光発電ユニット１０は、それ自体又は太陽光発電ユニット１０の内部で、外装部位の範囲内で電気的に自己完結・自立型の系を構築することもできる。
【００２２】
本実施形態では、太陽光発電モジュールにより発電された電力は、通気口３６の開閉を行う開閉弁３４の開閉制御、及び、ファン３８の動力源として使用される。通気口３６は、スパンドレルガラス１２と太陽光発電庇１４との間に設けられる。通気口３６は、建物１の外側と内側とを貫通する通気口であって、その開閉は開閉弁３４により行われる。なお、ファン３８の近傍にも通気口を設けることもできる。
【００２３】
また、ファン３８が、下枠２２上面に設けられる。すなわち、ファン３８は、ビジョンガラス１６の下方側に設けられる。ファン３８は、建物１の上方向に空気を送る向きに配置される。また、ビジョンガラス１６の近傍に配置されるので、ファン３８を回転させることにより、ビジョンガラス１６の表面近傍の空気を流動させることができる。
【００２４】
夏期においては、前述の開閉弁３４を開側にし、ファン３８を回転させることで建物１の室内上方に溜まった高温の空気を排出することができる。また、冬期においては、開閉弁３４を閉側にし、ファン３８を回転させることでビジョンガラス１６の表面近傍の空気を流動させて、結露を防止することができる。
【００２５】
太陽光発電ユニット１０の下側部分には、ビジョンガラス１６が上下方向について無目２４と下枠２２に挟み込まれ、左右方向について横枠２１に挟み込まれるように組み付けられる。また、ビジョンガラス１６と水平方向についてほぼ重なるように、サイドフィンが横枠２１に取り付けられる。
【００２６】
なお、上記方立のマリオンスパンは、１８００ｍｍ、１６００ｍｍ、１４００ｍｍ、１２００ｍｍ、１０００ｍｍとすることができる。これにより、太陽光発電ユニット１０を規格に準じたものとし、ユニットとして施工を容易にし、かつ、コストダウンを図ることができる。また、前述のように、ファン３８を稼働させるために太陽電池モジュールを外部から独立して有しているので、この太陽光発電ユニット１０を建物１に取り付けるだけで、簡便に室内環境を改善することができる。
【００２７】
また、ガラスカーテンウォール特有の眺望性や開放感を阻害しない程度に、太陽光発電庇１４をルーバー状にし、傾斜角を上げることとして、複数段設けることもできる。
【００２８】
以上のように、外装部の一部をなすビジョンガラス１６を有する太陽光発電ユニット１０が、空気を流動させるファン３８と、空気の吸排気を行う通気口３６とを有しているので、夏期にはガラス部材周辺の高温の空気を通気口３６を通じて排気することができる一方、冬期にはガラス部材周辺の空気を循環させるので結露を防止することができ室内環境を改善することができる。さらに、太陽光発電ユニット１０において、ファン３８を稼働させるために太陽電池モジュールを独立して有しているので、この太陽光発電ユニット１０を取り付けるだけで、簡便に室内環境を改善することができる。
【００２９】
また、第１太陽光発電部材において太陽電池モジュールで発電を行うと共に、入射した光を第２太陽光発電部材に対して反射する。また、第２太陽光発電部材の太陽電池モジュールで発電を行う際に、直射光のみならず、第１太陽光発電部材において反射した反射光によっても発電を行うことができる。このため、太陽光発電ユニットを外装設置した場合であっても、発電効率を高めることができる。
【００３０】
特に、安価な太陽電池モジュールは、光を反射しやすい場合がある。この場合、光を反射しやすい太陽電池モジュールを太陽光発電庇１４に設けることとすれば、スパンドレルガラスにおける太陽電池モジュールに対して光を反射させて、安価に太陽電池モジュールを設置しつつ、効率の高い発電を行うことができる。
【００３１】
また、従来、太陽光発電モジュールにより発電を行う場合、得られる電力は天候や季節に左右されるため不安定にならざるを得ないという問題がある。そのため、太陽光発電モジュールから得られる電力は、独立した電源とするのではなく、キュービクルや分電盤に接続し、電力会社の電力系統と連系（系統連系）させて使用するのが一般的であった。しかしながら、このような手法では、建物各階の外装部位で発電した電気を系統連系させるため、煩雑な配線工事を必要とし、手間もコストもかかった。また配線の長さも長くなるため、電力ロスの割合も大きいという問題があった。
【００３２】
これに対し、本実施形態によれば、太陽光発電ユニット１０において電気的に完結した系であるので、煩雑な電気配線工事の手間を軽減させ、コストダウンを図ることができる。また、本実施形態における太陽光発電ユニット１０を建物の南側に設置した場合、ガラスカーテンウォールに必須である日よけ部材の一部を太陽光発電モジュールが兼ねることができるので、夏期における熱負荷低減及び発電効率の点で利点がある。
【００３３】
また、太陽光発電モジュール１４ａを庇に設けることとしているので、その地域で最も年間日射量の多い傾斜角を太陽光発電庇１４の設置角度として設定することができ、発電効率を総じて高く維持することができ、同時にビジョンガラス１６から入射する直射日光を遮ることができるので、省エネ効果を高めることができる。
【００３４】
また、仮に、太陽光発電庇１４の傾斜角を夏期の最適日射量となるように設定した場合、その傾斜角が小さすぎて雨水・積雪に対して悪影響を生ずることがあるが、本実施形態では、最適年間日射量になるように太陽光発電庇１４の傾斜角を設定できるので、このような影響を生じないようにすることができる。
【符号の説明】
【００３５】
１  建物、１０  太陽光発電ユニット、
１２  スパンドレルガラス、１２ａ  太陽光発電モジュール（太陽電池モジュール）、
１４  太陽光発電庇、
１４ａ  太陽光発電モジュール（太陽電池モジュール）、１４ｂ  バッテリー、
１４ｃ  強化ガラス、
１６  ビジョンガラス（ガラス部材）、１８  サイドフィン、
２０  上枠、２１  横枠、２２  下枠、
２４  無目（トランサム）、２６  方立（マリオン）、
２８  バックボード、
３４  開閉弁、３６  通気口、３８  ファン（流動装置部）、
４２  床上仕上げ、４４  床スラブ、４６  天井内、４８  天井、
Ｌ  光路
【図１】
2014022410.tif 000003
【図２】
2014022410.tif 000004